(57)【特許請求の範囲】
【請求項１】
傾斜した状態で設置される太陽光パネルと、
一対の柱材をＶ字状に配置してなり上記太陽光パネルの傾斜上部を移動・固定可能に支持する傾斜上部支持機構と、
上記太陽光パネルの傾斜下部を移動・固定可能に支持する傾斜下部支持機構と、
上記傾斜上部支持機構の一対の柱材の上端に相互に直交する二軸を中心に回転可能な状態で取り付けられた連結機構と、
上記太陽光パネルの傾斜上部が設置され上記連結機構が移動可能に取り付けられる傾斜上部梁材と、
を具備し、
上記連結機構は、上記柱材に回転中心軸を介して連結され該回転中心軸を中心に回転可能な柱材側連結具と、上記柱材側連結具に上記柱材側連結具の回転中心軸と直交する別の回転中心軸を介して直接連結され該別の回転中心軸を中心に回転可能な梁材側連結具と、から構成されていることを特徴とする太陽光発電装置。
【請求項２】
請求項１記載の太陽光発電装置において、
上記傾斜上部梁材には長手方向に沿って溝が形成されていて、上記梁材側連結具は上記溝内に配置されたナットにボルトを螺合することにより上記傾斜上部梁材に締結・固定されるものであり、上記ボルト・ナットの締結を緩めることにより上記柱材の端部は上記溝に沿って移動可能となり、それによって、Ｖ字の角度ひいては太陽光パネルの傾斜角度を任意に設定可能にしていることを特徴とする太陽光発電装置。
【請求項３】
請求項２記載の太陽光発電装置において、
各部材は導電体の表面に絶縁処理が施されたものが使用されており、部材同士の回転部位には導電性カラーを配置し、回転部位がないところには導電性ねじ部材を設けることにより導電性を確保し、それらによって接地ルートを確保するようにしたことを特徴とする太陽光発電装置。
【請求項４】
請求項３記載の太陽光発電装置において、
上記太陽光パネルは複数の太陽光パネル要素をパネル固定梁材に締結・固定することにより構成されていて、上記太陽光パネル要素とパネル固定梁材とを導通金具により挟むことにより接地ルートを確保するようにしたことを特徴とする太陽光発電装置。
【発明の詳細な説明】
【技術分野】
【０００１】
本発明は、太陽光パネルとこの太陽光パネルを任意の傾斜角度で保持する架台とからなる太陽光発電装置に係り、特に、架台の構成を工夫することにより、上記傾斜角度の調整の容易化と、接地（アース）ルートの確保の容易化を図ることができるように工夫したものに関する。
【背景技術】
【０００２】
太陽光発電装置の構成を開示するものとして、例えば、特許文献１、特許文献２、特許文献３に示すようなものがある。
【先行技術文献】
【特許文献】
【０００３】
【特許文献１】特開２０１１−１０８７０３号公報
【特許文献２】特開２０１０−６７７１６号公報
【特許文献３】特開２００８−３１１２８１号公報
【発明の概要】
【発明が解決しようとする課題】
【０００４】
上記従来の構成によると次のような問題があった。
すなわち、特許文献１、特許文献２、特許文献３の何れに開示されている太陽光発電装置の場合にも、その架台の構成が複雑であり、例えば、傾斜角度の調整に関しても、面倒な作業を余儀なくされてしまうという問題があった。
又、接地ルートの確保も面倒であった。例えば、従来の場合には、必要な接地ルートを確保するために太陽光パネルからアース線を取り出して、それを架台に沿って配線する作業を行う必要があり、煩雑な作業を余儀なくされてしまうものである。
【０００５】
本発明はこのような点に基づいてなされたものでその目的とするところは、傾斜角度の調整作業の容易化と接地ルートの確保の容易化を図ることができる架台を備えた太陽光発電装置を提供することにある。
【課題を解決するための手段】
【０００６】
上記目的を達成するべく本願発明による太陽光発電装置は、傾斜した状態で設置される太陽光パネルと、一対の柱材をＶ字状に配置してなり上記太陽光パネルの傾斜上部を移動・固定可能に支持する傾斜上部支持機構と、上記太陽光パネルの傾斜下部を移動・固定可能に支持する傾斜下部支持機構と、上記傾斜上部支持機構の一対の柱材の上端に相互に直交する二軸を中心に回転可能な状態で取り付けられた連結機構と、上記太陽光パネルの傾斜上部が設置され上記連結機構が移動可能に取り付けられる傾斜上部梁材と、を具備し、上記連結機構は、上記柱材に回転中心軸を介して連結され該回転中心軸を中心に回転可能な柱材側連結具と、上記柱材側連結具に上記柱材側連結具の回転中心軸と直交する別の回転中心軸を介して直接連結され該別の回転中心軸を中心に回転可能な梁材側連結具と、から構成されていることを特徴とするものである。
又、請求項２による太陽光発電装置は、請求項１記載の太陽光発電装置において、上記傾斜上部梁材には長手方向に沿って溝が形成されていて、上記梁材側連結具は上記溝内に配置されたナットにボルトを螺合することにより上記傾斜上部梁材に締結・固定されるものであり、上記ボルト・ナットの締結を緩めることにより上記柱材の端部は上記溝に沿って移動可能となり、それによって、Ｖ字の角度ひいては太陽光パネルの傾斜角度を任意に設定可能にしていることを特徴とするものである。
又、請求項３による太陽光発電装置は、請求項２記載の太陽光発電装置において、各部材は導電体の表面に絶縁処理が施されたものが使用されており、部材同士の回転部位には導電性カラーを配置し、回転部位がないところには導電性ねじ部材を設けることにより導電性を確保し、それらによって接地ルートを確保するようにしたことを特徴とするものである。
又、請求項４による太陽光発電装置は、請求項３記載の太陽光発電装置において、上記太陽光パネルは複数の太陽光パネル要素をパネル固定梁材に締結・固定することにより構成されていて、上記太陽光パネル要素とパネル固定梁材とを導通金具により挟むことにより接地ルートを確保するようにしたことを特徴とするものである。
【発明の効果】
【０００７】
以上述べたように本願発明による太陽光発電装置は、傾斜した状態で設置される太陽光パネルと、一対の柱材をＶ字状に配置してなり上記太陽光パネルの傾斜上部を移動・固定可能に支持する傾斜上部支持機構と、上記太陽光パネルの傾斜下部を移動・固定可能に支持する傾斜下部支持機構と、上記傾斜上部支持機構の一対の柱材の上端に相互に直交する二方向に回転可能な状態で取り付けられた連結機構と、上記太陽光パネルの傾斜上部が設置され上記連結機構が移動可能に取り付けられる傾斜上部梁材と、を具備した構成になっているので、傾斜上部支持機構と傾斜下部支持機構側を移動可能な状態としておき、連結機構を上記傾斜上部梁材に対して移動させることにより上記一対の柱材によるＶ字の角度ひいては太陽光パネルの傾斜角度の調整を行うことができるので、太陽光パネルの傾斜角度の調整作業の容易化を図ることができる。これは、連結機構の部位に相互に直交する二方向への回転機能が集約されているからである。
又、請求項２による太陽光発電装置は、請求項１記載の太陽光発電装置において、上記連結機構は、上記柱材に対して回転可能に取り付けられた柱材側連結具と、上記柱材側連結具に対して上記回転方向とは直交する方向に回転可能に取り付けられた梁材側連結具とから構成されているので、簡単な構成の連結機構により上記効果を確実に得ることができる。
又、請求項３による太陽光発電装置は、請求項２記載の太陽光発電装置において、上記傾斜上部梁材には長手方向に沿って溝が形成されていて、上記梁材側連結具は上記溝内に配置されたナットにボルトを螺合することにより上記梁材に締結・固定されるものであり、上記ボルト・ナットの締結を緩めることにより上記柱材の端部は上記溝に沿って移動可能となり、それによって、Ｖ時の角度ひいては太陽光パネルの傾斜角度を任意に設定可能にしているので、単に柱材を溝に沿って移動させるだけで太陽光パネルの傾斜角度の調整を行うことができ、上記効果をより確実なものとすることができる。
又、請求項４による太陽光発電装置は、請求項３記載の太陽光発電装置において、各部材は導電体の表面に絶縁処理が施されたものが使用されており、部材同士の回転部位には導電性カラーを配置し、回転部位がないところには導電性ねじ部材を螺合することにより導電性を確保し、それらによって接地ルートを確保するようにしているので、極めて簡単な作業で所望の接地ルートの確保が可能になる。
又、請求項５による太陽光発電装置は、請求項４記載の太陽光発電装置において、上記太陽光パネルは複数の太陽光パネル要素をパネル固定梁材に締結・固定することにより構成されていて、上記太陽光パネル要素とパネル固定梁材とを導通金具により挟むことにより接地ルートを確保するようにしたので、これによっても、接地ルートの確保の容易化を図ることができる。
【図面の簡単な説明】
【０００８】
【図１】本発明の一実施の形態を示す図で、太陽光発電装置の全体の構成を示す背面図である。
【図２】本発明の一実施の形態を示す図で、太陽光発電装置の全体の構成を示す平面図である。
【図３】本発明の一実施の形態を示す図で、太陽光発電装置の全体の構成を示す正面図である。
【図４】本発明の一実施の形態を示す図で、太陽光発電装置の全体の構成を示す拡大側面図である。
【図５】本発明の一実施の形態を示す図で、図４のＶ部を斜め方向からみた斜視図である。
【図６】本発明の一実施の形態を示す図で、図６（ａ）は図５のＶＩａ−ＶＩａ断面図、図６（ｂ）は図６（ａ）のｂ部の拡大図である。
【図７】本発明の一実施の形態を示す図で、図７（ａ）は図４のＶＩＩａ部を一部断面にして示す側断面図、図７（ｂ）は図７（ａ）のｂ部の拡大図である。
【図８】本発明の一実施の形態を示す図で、図１のＶＩＩＩ部を拡大して示す一部背面図である。
【図９】本発明の一実施の形態を示す図で、図７（ａ）のＩＸ−ＩＸ断面図である。
【図１０】本発明の一実施の形態を示す図で、図１０（ａ）は図２のＸａ−Ｘａ断面図、図１０（ｂ）は図２のＸｂ−Ｘｂ断面図である。
【図１１】本発明の一実施の形態を示す図で、柱材の端面図である。
【図１２】本発明の一実施の形態を示す図で、傾斜上部梁材の端面図である。
【図１３】本発明の一実施の形態を示す図で、傾斜下部梁材の端面図である。
【図１４】本発明の一実施の形態を示す図で、太陽光パネルのパネル固定梁材の端面図である。
【図１５】本発明の一実施の形態を示す図で、太陽光パネル要素とパネル固定梁材とを導通させるための導通金具の構成を示す図で、図１５（ａ）は正面側からの斜視図、図１５（ｂ）は後方からの斜視図である。
【発明を実施するための形態】
【０００９】
以下、図１乃至図１５を参照して本発明の一実施の形態を説明する。図１は本実施の形態による太陽光発電装置の背面図、図２は同上の平面図、図３は同上の正面図である。本実施の形態による太陽光発電装置は、架台１と、この架台１上に傾斜した状態で設置された太陽光パネル３とから構成されている。以下、順次説明する。
【００１０】
まず、上記架台１は、複数個（本実施の形態の場合には４個）の傾斜上部支持機構５と、複数個（本実施の形態の場合には５個）の傾斜下部支持機構７とから構成されている。上記傾斜上部支持機構５と傾斜下部支持機構７は、図１に示すように、架台１の長手方向（図１中左右方向）に沿って交互に設置されている。又、図４に示すように、上記傾斜上部支持機構５は、太陽光パネル３の傾斜上部側（図４中右側）に設置されており、一方、傾斜下部支持機構７は太陽光パネル３の傾斜下部側（図４中左側）に設置されている。
【００１１】
上記傾斜上部支持機構５は次のような構成になっている。図１、図４、図８に示すように、まず、基礎１１があり、この基礎１１上にはブラケット１３が設置・固定されている。このブラケット１３は、図４に示すように、略Ｕ字形状をなしていて、底板１５と、この底板１５の左右両端の手前位置からそれぞれ立設された一対の側板１７、１７とから構成されている。上記ブラケット１３は、図８に示すように、アンカーボルト１９とナット２１とによって上記基礎１１に設置・固定されている。このようなアンカーボルト１９とナット２１による固定は、図４に示すように、一対の側板１７、１７それぞれの外側において行われる。
【００１２】
図１及び図８に示すように、上記ブラケット１３には、一対の柱材２３、２３が下方から上方に向かってＶ字状に拡がった状態で回転・固定可能に締結・固定されている。上記柱材２３は、図５、図１１に示すように、中空状であって、その横断面形状は略四角形をなしている。又、四角形の対向する一対の面にはＴ字溝２５、２５がそれぞれ延長・形成されている。
尚、上記柱材２３、２３とブラケット１３との締結・固定の構成については追って詳細に説明する。
【００１３】
上記柱材２３、２３の上端には、図５に示すように、連結機構２７を介して傾斜上部梁材２９が移動・固定可能な状態で締結・固定されている。上記連結機構２７は、柱材側連結具３０と梁材側連結具３１とから構成されている。上記柱材側連結具３０は、略Ｕ字形状をなしていて、ボス部３３と、一対の側板３５、３５とから構成されている。上記一対の側板３５、３５は、上記柱材２３を外側から挟み込むような状態で設置されていて、締結具３７によって柱材２３に対して回転・固定可能に締結・固定されている。
【００１４】
上記締結具３７による締結・固定の構成を図６を参照して詳細に説明する。まず、導電性カラー３９があり、この導電性カラー３９は、上記側板３５、３５、柱材２３を貫通した状態で配置されている。上記導電性カラー３９内にはボルト４１がワッシャ４３を介して貫通・配置されていて、このボルト４１の先端部には、ナット４５がワッシャ４７を介して螺合されている。上記ボルト４１とナット４５の螺合を緩めることにより、柱材側連結具３０と柱材２３は回転可能な状態となる。又、ボルト４１とナット４５を螺合させることにより、柱材側連結具３０と柱材２３は強固に締結・固定されることになる。
【００１５】
上記柱材側連結具３０には上記梁材側連結具３１が回転・固定可能な状態で締結・固定されている。上記柱材側連結具３０は柱材２３に対して、Ｘ方向に回転・固定可能な状態に締結・固定されているのに対して、上記梁材側連結具３１は上記柱材側連結具３０に対して、Ｘ方向に直交するＹ方向に回転・固定可能な状態で締結・固定されている。
尚、梁材側連結具３１と柱材側連結具３０の締結・固定は、既に説明した締結具３７と同じ構成をなす締結具３７によって行われるものであり、図中同一部分には同一符号を付して示しその説明は省略する。
【００１６】
又、既に説明したブラケット１３の側板１７、１７と柱材２３、２３の締結・固定に関しても、上記締結具３７と同じ構成の締結具３７を使用して締結・固定する構成になっており、よって、図８において、その部分に関しても、同一部分には同一符号を付して示しその説明は省略する。
【００１７】
上記梁材側連結具３１は、一対の鍔部５１、５１と、一対の側板５３、５３とから構成されている。上記一対の鍔部５１、５１は、柱材側連結具３０のボス部３３を挟み込むように配置され、既に説明した締結具３７によって、回転・固定可能に締結・固定されるものである。そして、上記一対の側板５３、５３の間には、既に説明した傾斜上部梁材２９が挟み込まれた状態で左右方向に延長されて設置されている。
【００１８】
上記傾斜上部梁材２９は、図５、図１２に示すように、中空形状をなしていて、その横断面形状は略長方形をなしている。又、上記傾斜上部梁材２９の上端には鍔部６３、６３が左右両側に張り出されている。又、上記傾斜上部梁材２９の対向する一対の側面には２個のＴ字溝６５、６５がそれぞれ延長・形成されている。又、上記鍔部６３、６３に対向する側の面にもＴ字溝６５が形成されている。一方、図５に示すように、上記一対の側板５３、５３側には図示しない貫通孔が形成されている。そして、上記Ｔ字溝６５、６５側に、図６（ａ）に示すように、Ｔ字ナット６６を配置しておき、上記貫通孔の外側から、ボルト６７をワッシャ６９を介して差し込んで上記Ｔ字ナット６６に螺合することにより、上記側板５３、５３の間に傾斜上部梁材２９が締結・固定されるものである。上記Ｔ字ナット６６とボルト６７とワッシャ６９による締結・固定は、図５に示すように、片面側に４箇所あるとともに反対側にも４箇所ある。
【００１９】
次に、傾斜下部支持機構７の構成について説明する。図４に示すように、まず、基礎７１があり、この基礎７１上には、ブラケット７３、７３が設置・固定されている。上記ブラケット７３はＬ字形状をなしていて、上記基礎７１に対して、アンカーボルト７５と図示しないナットによって、締結・固定されている。
【００２０】
上記ブラケット７３、７３の間には、図７にも示すように、傾斜下部梁材８１が設置・固定されている。上記傾斜下部梁材８１は、図７、図１３に示すような構成をなしていて、中空形状をなしているとともに、その横断面形状は略長方形をなしている。又、左右両側板と天板と底板にはＴ字溝８３がそれぞれ延長・形成されている。そして、図４に示すように、上記左右両側板のＴ字溝８３内に図示しないＴ型ナットを配置しておき、そこに上記ブラケット７３、７３の外側からボルト８４を図示しないワッシャを介して差し込んで螺合させることにより、上記梁材８１をブラケット７３、７３の間に設置・固定するものである。
【００２１】
又、図４、図７に示すように、上記傾斜下部梁材８１の上面には別のブラケット９１が取り付けられている。このブラケット９１は、図９にも示すように、略Ｔ字形状をなしていて、底板９３と、この底板９３から立設された一対の側板９５、９５とから構成されている。上記ブラケット９１の傾斜下部梁材８１に対する固定であるが、図７（ａ）に示すように、傾斜下部梁材８１側のＴ字溝８３内にＴ型ナット９７を配置し、そこにボルト９９をワッシャ１０１を介して差し込んで螺合することにより、ブラケット９１が傾斜下部側梁材８１に設置・固定されるものである。又、上記側板９５、９５には、既に説明した締結具３７と同様の締結具３７が設置されていて、この締結具３７を使用して太陽光パネル３側の構造物が取り付けられることになる。
【００２２】
次に、太陽光パネル３の構成について説明する。上記太陽光パネル３は、複数本（この実施の形態の場合には１７本）のパネル固定梁材１０３を備えていて、これら複数本のパネル固定梁材１０３上に複数の太陽光パネル要素１０５が設置されているものである。上記パネル固定梁材１０３は、図９、図１４に示すように、その端面形状が略長方形をなしていて、長手方向に対向する一辺にはそれぞれＴ字溝１０４、１０４が形成されている。又、長手方向の一端側には鍔部１０６、１０６が形成されている。
【００２３】
上記パネル固定梁材１０３の傾斜上部側は、図６（ａ）に示すように、傾斜上部支持機構５側の傾斜上部梁材２９の鍔部６３、６３に対して、ボルト１１０をワッシャ１１２を介してＴ字溝１０４内に内装された図示しないナットに螺合することにより固定されている。一方、パネル固定梁材１０３の傾斜下部側は、図９に示すように、傾斜下部支持機構７のブラケット９１に対して、締結具３７を介して回転・固定可能に締結・固定されている。
【００２４】
次に、上記太陽光パネル要素１０５の取付構造について説明する。すなわち、図１０（ａ）に示すように、隣接・配置される太陽光パネル要素１０５、１０５の端部が上記パネル固定梁材１０３の鍔部１０６、１０６上に設置される。上記パネル固定梁材１０３のＴ字溝１０４内にはナット１０８が内装され、そのナット１０８にボルト１１６を金具１１８及びワッシャ１１４を介して螺合する。隣接・配置される太陽光パネル要素１０５、１０５の端部はこのような構造により締結・固定される。そして、太陽光パネル要素１０５、１０５のそれぞれの反対側も同様の構成により締結・固定されるものである。
【００２５】
又、端に配置されている太陽光パネル要素１０５は、図１０（ｂ）に示すような取付構造により取り付けけられている。この場合には、金具１１８′の形状が、図１０（ａ）に示す金具１１８と異なっていて、Ｌ字形状をなしている。その他の構成は図１０（ａ）に示す構造と同じであり、図中同一部分には同一符号を付して示しその説明は省略する。
【００２６】
次に、本実施の形態における接地ルートに関して説明する。本実施の形態による架台３を構成する各構成部品は、基本的に、アルミニウム製であってその表面に絶縁処理（この実施の形態の場合にはアルマイト処理が施されている。）が施されている。
但し、切断面や貫通孔の内面等はアルマイト処理された皮膜が除去されているので、導電性を備えた状態になっている。
【００２７】
本実施の形態の場合には、まず、締結具３７が使用されている部位においては、相互の部材の貫通孔に導電性カラー３９が挿入・配置されることにより、その相互の部材間での導電性が確保され、それによって、接地ルートの一部が確保されるようになっている。
【００２８】
これに対して、上記締結具３７が使用されていない部位、例えば、図７に示すような傾斜下部支持機構７の傾斜下部梁材８１とブラケット９１との間に関しては、タッピングビス１１１が差し込まれることにより両者間の導電性を確保し、それによって、接地ルートの一部が確保されるようになっている。すなわち、タッピングビス１１１は予めブラケット９１の底壁９３に螺合されていてその先端部が突出・配置されている。よって、ブラケット９１を傾斜下部側梁材８１に締結・固定することにより、上記タッピングビス１１１の先端部が傾斜下部側梁材８１に食い込んで、その先端が傾斜下部梁材８１側の表面のアルマイト処理部の下部に至り、それによって、両者間の導電性が確保されるものである。
【００２９】
又、太陽光パネル５と架台１側との導通であるが、図１０に示すように、太陽光パネル要素１０５とパネル固定梁材１０３の鍔部１０６を跨ぐように、導通金具１３１を装着することにより実現される。上記導通金具１３１は、図１５に示すように、クリップ部１３３と支持部１３５とから構成されている。上記クリップ部１３３には鋭利部１３７、１３９が設けられている。これら鋭利部１３７、１３９は、太陽光パネル要素１０５と鍔部１０６に食い込むことにより、夫々の表面のアルマイト処理部を突き抜けて、導体部に至る。それによって、太陽光パネル要素１０５とパネル固定梁材１０３の鍔部１０６との間を導通させるものである。
【００３０】
このように、本実施の形態の場合には、導電性カラー３９を備えた締結具３７を使用し、且つ、そのような締結具３７が使用されていない場合に関しては、タッピングビス１１１を使用することにより、又、導通金具１３１を使用することにより、必要な接地（アース）ルートを確保するように構成されている。
尚、図１中符号１２１は太陽光パネル３を制御するための制御盤である。
【００３１】
以上の構成を基に、太陽光パネル３を任意の傾斜角度で設置する場合について、その手順を説明する。例えば、架台１の各部位の締結具３７のボルト４１とナット４５の螺合を緩めるとともに、梁材側連結具３１を傾斜上部梁材２９に固定しているボルト６７も緩め、各部位の回転、移動ひいては太陽光パネル３の傾斜角度の調整が可能な状態とする。
後は、太陽光パネル３の各部位の傾斜角度を客観的に確認できる手段を介して太陽光パネル３の各部位の傾斜角度を確認しながら、図５に示すように、連結機構２７の梁材側連結具３１を傾斜上部梁材２９の溝６５に沿って左右方向に移動させていく。それによって、締結が解除されている各部位が自由に回転しながら、太陽光パネル３の傾斜角度が調整されていくことになる。例えば、各部位の高さを計測しそれらを一致させることにより任意の傾斜角度に設定していくような方法が考えられる。
そして、太陽光パネル３の傾斜角度の調整が完了したら、各部位の締結具３７のボルト４１とナット４５を螺合させ、強固に締結・固定すれば良い。又、ボルト６７をナット６６に螺合することにより、連結機構２７の梁材側連結具３１を傾斜上部梁材２９に強固に固定すればよい。
【００３２】
以上本実施の形態によると次のような効果を奏することができる。
まず、連結機構２７の部位にＸ方向への回転とＹ方向への回転機能が集約されているので、太陽光パネル３の傾斜角度の調整作業が大幅に容易化されることになる。すなわち、回転機構が集約されていることにより、仮に、各回転機構部位に作業員を配置して作業を行う場合には、配置する作業員の数が少なくて済むからである。又、同一作業員が異なる回転機能部位を担当する場合に、一人の作業員が集約された複数の回転機構部位を担当することができるからである。
又、傾斜上部梁材２９には溝６５が設けられていて、この溝６５を使用して柱材２３側に連結された連結機構２７の梁材側連結具３１ひいては柱材２３を移動させることができるので、別途ガイド部材を必要としない等、構成の簡略化を図ることができる。
又、締結具３７の導電性カラー３９の使用、タッピングビス１１１、導通金具１３１の使用により、所望の接地（アース）ルートを容易に確保することができ、従来のような煩雑な配線作業を不要にすることができるものである。
【００３３】
尚、本発明は前記一実施の形態に限定されるものではない。
例えば、傾斜上部支持機構、傾斜下部支持機構の数、位置等についてはこれを特に限定するものではない。
連結機構の構成については図示したものに限定されるものではなく、要は相互に直交する二方向への回転を許容するような連結を集約した状態で実現できるようなものであればよい。
その他、図示した構成はあくまで一例である。
【産業上の利用可能性】
【００３４】
本発明は、太陽光パネルとこの太陽光パネルを任意の傾斜角度で保持す架台とからなる太陽光発電装置に係り、特に、架台の構成を工夫することにより、上記傾斜角度の調整の容易化と、接地ルートの確保の容易化を図ったものに関し、例えば、建屋の屋上等に太陽光パネルを設置する場合に好適である。
【符号の説明】
【００３５】
１  架台
３  太陽光パネル
５  傾斜上部支持機構
７  傾斜下部支持機構
２３  柱材
２７  連結機構
２９  傾斜上部梁材
３０  柱材側連結具
３１  梁材側連結具
３７  締結具
３９  導電性カラー
４１  ボルト
４５  ナット
８１  傾斜下部梁材
１０３  パネル固定梁材
１１１  タッピングビス
１３１  導通金具
【図１】
0005936864.tif 000002
【図２】
0005936864.tif 000003
【図３】
0005936864.tif 000004
【図４】
0005936864.tif 000005
【図５】
0005936864.tif 000006
【図６】
0005936864.tif 000007
【図７】
0005936864.tif 000008
【図８】
0005936864.tif 000009
【図９】
0005936864.tif 000010
【図１０】
0005936864.tif 000011
【図１１】
0005936864.tif 000012
【図１２】
0005936864.tif 000013
【図１３】
0005936864.tif 000014
【図１４】
0005936864.tif 000015
【図１５】
0005936864.tif 000016